(57)【特許請求の範囲】
【請求項１】
発光に伴って熱を発生する発光ダイオードと、
前記発光ダイオードから発生する熱を電気に変換する熱電変換手段と、
外部から供給される交流電圧を直流電圧に変換して前記発光ダイオードに供給する電源供給手段と、を備え、
前記電源供給手段は、交流を脈流に整流する整流部と、当該整流部により整流された電圧波形を整形する波形整形部と、を有し、
前記熱電変換手段は、熱から変換した電気を、前記電源供給手段における前記整流部により整流された脈流に回生させることを特徴とする発光ダイオード照明。
【請求項２】
前記電源供給手段における前記波形整形部が備えるコンデンサは、電解コンデンサよりライフタイムの長いコンデンサであることを特徴とする請求項１に記載の発光ダイオード照明。
【請求項３】
前記熱電変換手段を冷却する冷却手段をさらに備え、
前記熱電変換手段は、熱から変換した電気を、前記冷却手段を駆動する電力として供給することを特徴とする請求項１又は２に記載の発光ダイオード照明。
【請求項４】
直流電圧により駆動され、予め定められた機能を発揮する際に発熱を伴う機能部と、
前記機能部から発生する熱を電気に変換する熱電変換手段と、
外部から供給される交流電圧を前記直流電圧に変換して前記機能部に供給する電源供給手段と、を備え、
前記電源供給手段は、交流を脈流に整流する整流部と、当該整流部により整流された電圧波形を整形する波形整形部と、を有し、
前記熱電変換手段は、熱から変換した電気を、前記電源供給手段における前記整流部により整流された脈流に回生させることを特徴とする電子装置。
【発明の詳細な説明】
【技術分野】
【０００１】
本発明は、発光ダイオード照明及び電子装置に関する。
【背景技術】
【０００２】
公報記載の従来技術として、電源に電気的に接続された半導体発光ダイオード素子と、該半導体発光ダイオード素子を実装した伝熱基板と、該伝熱基板に熱的に接続され且つ電気的に絶縁された熱電変換素子と、該熱電変換素子に接続された半導体発光ダイオード素子とを含み、熱電変換素子を用いた簡単な回路構成によって、発光ダイオードランプで発生する熱を発光に利用して発光効率を向上させ得る照明装置が存在する（特許文献１参照）。
【先行技術文献】
【特許文献】
【０００３】
【特許文献１】特開２００９−９９４０６号公報
【発明の概要】
【発明が解決しようとする課題】
【０００４】
ところで、発光ダイオード照明などの電子装置では、照明という機能を発揮する際に発熱を伴う。このように、発光ダイオードのように発熱を伴う機能部を備えた電子装置では、投入された電力の内、熱エネルギとして失われる部分が損失（熱損）となるため、電力の使用効率（電力使用効率）が低下する。
本発明の目的は、電力使用効率を向上させた発光ダイオード照明などを提供することにある。
【課題を解決するための手段】
【０００５】
本発明が適用される発光ダイオード照明は、発光に伴って熱を発生する発光ダイオードと、発光ダイオードから発生する熱を電気に変換する熱電変換手段と、外部から供給される交流電圧を直流電圧に変換して発光ダイオードに供給する電源供給手段と、を備え、電源供給手段は、交流を脈流に整流する整流部と、整流部により整流された電圧波形を整形する波形整形部と、を有し、熱電変換手段は、熱から変換した電気を、電源供給手段における整流部により整流された脈流に回生させる。
このような発光ダイオード照明において、電源供給手段における波形整形部が備えるコンデンサは、電解コンデンサよりライフタイムの長いコンデンサであることを特徴とすることができる。
そして、熱電変換手段を冷却する冷却手段をさらに備え、熱電変換手段は、熱から変換した電気を、冷却手段を駆動する電力として供給することを特徴とすることができる。
【０００６】
また、本発明が適用される電子装置は、直流電圧により駆動され、予め定められた機能を発揮する際に発熱を伴う機能部と、機能部から発生する熱を電気に変換する熱電変換手段と、外部から供給される交流電圧を直流電圧に変換して機能部に供給する電源供給手段と、を備え、電源供給手段は、交流を脈流に整流する整流部と、整流部により整流された電圧波形を整形する波形整形部と、を有し、熱電変換手段は、熱から変換した電気を、電源供給手段における整流部により整流された脈流に回生させる。
【発明の効果】
【０００７】
本発明によれば、電力使用効率を向上させた発光ダイオード照明などを提供できる。
【図面の簡単な説明】
【０００８】
【図１】本実施の形態における発光ダイオード照明の構成例を示す図である。（ａ）は、発光ダイオード照明の一例の側面図、（ｂ）は、発光ダイオード照明の他の一例の側面図、（ｃ）は、発光ダイオード照明の機能部の等価回路を示す図である。
【図２】熱電変換部により変換された電気エネルギの再利用（回生）方法の一例を説明する図である。（ａ）は、電源回路の整流部と波形整形部との間（Ａ点）に供給する方法を説明する図、（ｂ）は、（ａ）の電圧波形を説明する図である。
【図３】熱電変換部により変換された電気エネルギの再利用（回生）方法の他の一例を説明する図である。
【図４】熱電変換部により変換された電気エネルギの再利用（回生）方法の他の一例を説明する図である。
【図５】熱電変換部により変換された電気エネルギの再利用（回生）方法の他の一例を説明する図である。
【発明を実施するための形態】
【０００９】
以下、添付図面を参照して、本発明の実施の形態について詳細に説明する。以下では、電子装置の一例として、発光ダイオード（ＬＥＤ）による照明という機能を用いた発光ダイオード照明を説明するが、照明以外の機能を発揮する電子装置であってもよい。
【００１０】
発光ダイオード照明は、屋内照明など低出力の分野において、電球や蛍光灯などの代替として普及が進んでいる。
一方、水銀や水銀を使用した製品の製造と輸出入が規制される方向にあることから、水銀灯などが用いられていた街路灯や投光器などの高出力の分野でも、発光ダイオード照明への置き換えが進められようとしている。しかし、発光ダイオード照明を１００Ｗ〜１ｋＷの高出力の屋外照明として使用するには、１０Ｗ〜５０Ｗなどの低出力の場合に比べて、発光ダイオードに流す電流を多くして光量を増加させることが必要となっている。
【００１１】
しかし、発光ダイオードでは、流す電流を増加させると、発光ダイオードの温度が上がり、光として取り出すことができる電力の割合（発光効率）が低下する。すなわち、供給した電力の内、熱損として失われる割合が高くなる。例えば、発光ダイオードで構成された投光器では、発光ダイオードを搭載した基板が１００℃以上になり、熱損として失われる電力が７０％を超える。つまり、発光ダイオードを高出力で使用すると、発光効率が低下するとともに、電力使用効率が悪くなる。
【００１２】
そこで、本実施の形態では、発光ダイオード照明１００において、熱エネルギを電気エネルギに変換する熱電変換手段の一例としての熱電変換部２０（後述する図１参照）を設け、照明という機能を発揮させる際に不可避的に発生する熱エネルギを電気エネルギに変換して再利用（回生）し、全体としての電力使用効率の向上を図っている。
【００１３】
＜発光ダイオード照明１００＞
図１は、本実施の形態における発光ダイオード照明１００の構成例を示す図である。図１（ａ）は、発光ダイオード照明１００の一例の側面図、図１（ｂ）は、発光ダイオード照明１００の他の一例の側面図、図１（ｃ）は、発光ダイオード照明１００の機能部１０の等価回路を示す図である。
図１（ａ）に示す発光ダイオード照明１００の構造を説明する。
発光ダイオード照明１００は、照明という機能を発揮する機能部１０、機能部１０が機能の発揮に伴って発生する熱（熱エネルギ）を電気（電気エネルギ）に変換する熱電変換部２０及び熱電変換部２０を冷却する冷却手段の一例としての冷却部３０を備えている。
機能部１０は、基板１１２、基板１１２上に配列された複数の発光ダイオード１１１、複数の発光ダイオード１１１を点灯させるための電源供給手段の一例としての電源回路１２を備えている。ここで、基板１１２及び基板１１２上に配列された複数の発光ダイオード１１１を発光ダイオードアレイ１１と表記する。なお、複数の発光ダイオード１１１は、それぞれに発光ダイオード１１１が形成された複数のチップが直接基板１１２上に実装されているＣＯＢ（Chip on Board）タイプのＬＥＤモジュールの場合もある。
なお、発光ダイオード照明１００は、冷却部３０を備えなくともよい。
【００１４】
図１（ａ）に一例として示す発光ダイオード照明１００は、街路灯のように、地表から高い位置に設けられ、下方を照らしている。図１（ａ）において、紙面の下方が地表側で、紙面の上方が上空側である。この場合、熱電変換部２０は、機能部１０に接触又は機能部１０の上方に離して設けられている。
接触させる場合、機能部１０が発生する熱は、伝導により熱電変換部２０に伝わる。上方に離して設ける場合、機能部１０が発生する熱は、対流により熱電変換部２０に伝わる。
【００１５】
図１（ｂ）に他の一例として示す発光ダイオード照明１００は、地表に対して、横方向を照らしている。すなわち、発光ダイオードアレイ１１は、垂直方向に配置されている。このように、発光ダイオード照明１００が照らす方向は、下方に限らなくてもよく、図１（ｂ）に示すように横方向や、斜め方向を照らしてもよい。熱電変換部２０は、機能部１０が発生する熱が、対流により伝えられるように、機能部１０の上方に配置されている。
ここでは、機能部１０の電源回路１２は、複数の発光ダイオード１１１を配列する基板１１２の裏面側に設けられている。
【００１６】
なお、図１（ｂ）に示すように、発光ダイオードアレイ１１を垂直方向に配置した場合であっても、図１（ａ）と同様に、熱電変換部２０を発光ダイオードアレイ１１の基板１１２の裏面に接触するように配置してもよい。この場合、発光ダイオードアレイ１１が発生する熱は、伝導により、基板１１２を介して熱電変換部２０に伝えられる。
【００１７】
以上説明したように、発光ダイオードアレイ１１の発生する熱を熱電変換部２０に伝導により伝える場合には、発光ダイオードアレイ１１の向きに関係なく、熱電変換部２０を発光ダイオードアレイ１１に接触させて設ければよい。また、発光ダイオードアレイ１１の発生する熱を熱電変換部２０に空気の対流により伝える場合には、発光ダイオードアレイ１１の上方に熱電変換部２０を設ければよい。つまり、発光ダイオードアレイ１１からの熱が伝わりやすいように、熱電変換部２０を配置すればよい。
【００１８】
また、熱電変換部２０は、機能部１０の発光ダイオードアレイ１１に対して設けられてもよく、発光ダイオードアレイ１１及び電源回路１２を含む機能部１０に対して設けられてもよい。電源回路１２も発熱するため、発光ダイオードアレイ１１及び電源回路１２に対して熱電変換部２０を設けると、発光ダイオードアレイ１１に対して設ける場合に比べ、電力使用効率がさらに向上する。
【００１９】
次に、図１（ａ）、（ｂ）に示した熱電変換部２０及び冷却部３０について説明する。なお、機能部１０については、後に説明する。
（熱電変換部２０）
熱電変換部２０は、熱（熱エネルギ）を電気（電気エネルギ）に変換する熱電変換素子を備え、機能部１０が機能を発揮する際に伴って発生する熱エネルギを電気エネルギに変換して、再利用できるようにする。再利用することを、回生と表記することがある。また、再利用される熱エネルギ又は電気エネルギを回生エネルギと呼ぶことがある。
【００２０】
熱エネルギを電気エネルギに変換する素子としては、温度差を電圧に変換するゼーベック効果を用いた素子がある。
ゼーベック効果とは、異なる金属又は極性の異なる半導体の両端を接合して接点とし、両接点間に温度差を設けることで、電流（熱電流）が発生する現象をいう。
【００２１】
異なる金属の両端を接合して接点としたものが、熱電対素子である。熱電対素子は、温度測定に用いられている。なお、熱電対素子は、直流（ＤＣ）を出力する。
また、極性の異なる半導体の両端を接合して接点としたものは、熱発電素子である。熱発電素子は、例えば、温度差１８０℃において、開放電圧８．６Ｖ〜８．７Ｖを発生し、２４０Ｗの熱エネルギを吸収して、１０．５Ｗの電力を出力する。
熱発電素子が取り出すことができる電気エネルギ（電力）は、両接合間の温度差に依存する。付言すれば、両接合間の温度差が大きいほど、取り出すことができる電気エネルギ（電力）が大きい。なお、熱発電素子は、直流（ＤＣ）を出力する。
熱電変換部２０は、上記の熱電対素子、熱発電素子又は他の熱エネルギを電気エネルギに変換する素子で構成されてもよい。また、熱電変換部２０は、熱電対素子や熱発電素子を複数並べて構成されてもよい。
【００２２】
（冷却部３０）
冷却部３０は、熱電対や熱発電素子の一方の接点が機能部１０に近い側に設けられ、他方の接点が機能部１０から遠い側に設けられた場合、他方の接点を冷却する。冷却部３０は、例えば放熱フィン、ヒートパイプ又は放熱ファンなどである。ヒートパイプは、作動液の移動を用いて熱を移動させる手段である。
前述したように、熱電対素子や熱発電素子では、接点間の温度差が大きいほど、取り出すことができる電気エネルギ（電力）が大きい。よって、他方の接点を冷却（空冷を含む）することで、両接点間の温度差を大きくする。これにより、取り出すことができる電気エネルギ（電力）が大きくなる。
【００２３】
よって、冷却部３０が例えば放熱フィンやヒートパイプである場合、これらは、上記の他方の接点側が放熱されるように設けられることがよい。なお、放熱フィンやヒートパイプは、電力の供給を要しない。
また、冷却部３０が例えば放熱ファンである場合、放熱ファンは、上記の他方の接点に風があたるように設けられることがよい。なお、放熱ファンは、電力の供給を要する。
【００２４】
次に、図１（ｃ）に示す機能部１０の等価回路により、発光ダイオードアレイ１１と電源回路１２とを備える機能部１０を説明する。
（機能部１０）
［発光ダイオードアレイ１１］
発光ダイオードアレイ１１は、基板１１２上に複数の発光ダイオード１１１が直列接続されて構成されている。すなわち、複数の発光ダイオード１１１は、それぞれの正極と負極とが交互に接続されている。そして、発光ダイオードアレイ１１の両端子が電源回路１２の出力端子に接続されている。
発光ダイオードアレイ１１は、例えば、２８個の発光ダイオード１１１が直列接続されて構成されている。それぞれの、発光ダイオード１１１は、例えば、順方向電圧２．９Ｖ、順方向電流５２．５ｍＡである。よって、発光ダイオードアレイ１１は、電圧約８０Ｖ、電流約５２．５ｍＡが供給されると点灯する。
【００２５】
図１（ｃ）では、例として、４個の発光ダイオードアレイ１１を並列している。この場合、電源回路１２は、電圧約８０Ｖ、電流約２１４ｍＡを供給する。すなわち、電源回路１２は、電力約１７Ｗを供給すればよい。
なお、発光ダイオードアレイ１１のＬＥＤの数は、２８個以外であってもよい。発光ダイオードアレイ１１の数も１個から３個でもよく、４個を超えてもよい。これらの場合、電源回路１２は、発光ダイオードアレイ１１におけるＬＥＤの数及び発光ダイオードアレイ１１の数に応じた電圧、電流、すなわち電力を供給すればよい。
【００２６】
［電源回路１２］
一例として挙げる電源回路１２は、サージアブソーバ１２１、ＥＭＣ（Electro-Magnetic Compatibility）フィルタ１２２、整流部１２３、波形整形部１２４及び出力部１２５を備えている。
電源回路１２において、入力端子からサージアブソーバ１２１、ＥＭＣフィルタ１２２、整流部１２３、波形整形部１２４、出力部１２５の順に接続されている。出力部１２５が電源回路１２の出力端子に接続されている。
電源回路１２の入力端子には、交流電源４０が接続されている。交流電源４０は、いわゆる商用電源であって、電源回路１２に交流電力（電圧、電流）を供給する。交流電源４０は、例えば、５０Ｈｚ又は６０Ｈｚの８５〜２６５Ｖである。
なお、ここで説明する電源回路１２は一例であって、他の回路構成を備えるものであってもよい。
【００２７】
次に、電源回路１２の各構成について説明する。
電源回路１２のサージアブソーバ１２１は、交流電源４０側から電源回路１２にサージが侵入することを抑制する。サージアブソーバ１２１は、例えば、極性を逆にして並列に接続されたバリスタで構成されている。そして、交流電源４０から電源回路１２に交流電力（電圧、電流）を供給する２本の電源線の間に設けられている。
【００２８】
ＥＭＣフィルタ１２２は、交流電源４０側から侵入するノーマルモードノイズ及びコモンモードノイズを除去する。ＥＭＣフィルタ１２２は、例えば、フェライトビーズやチョークコイルである。
【００２９】
整流部１２３は、交流電源４０から供給された交流電圧を直流電圧に変換（整流）する。整流部１２３は、例えば、ダイオードブリッジである。
【００３０】
波形整形部１２４は、整流部１２３により整流された電圧波形を整形する。波形整形部１２４は、例えば、フィルタ、トランス、スイッチング素子などで構成される力率改善回路である。力率改善回路は、電圧波形に基づいて、スイッチング素子をオン／オフさせて、電流波形を電圧波形に近づける。これにより、力率を改善する。
【００３１】
出力部１２５は、波形整形部１２４により整形された電圧波形に基づいて、発光ダイオードアレイ１１に供給する電圧、電流を制御する。出力部１２５は、例えば、発光ダイオードアレイ１１に流れる電流を検知する電流検知素子、スイッチング素子などで構成された出力電流制御回路である。出力電流制御回路は、電流検知素子が検知した発光ダイオードアレイ１１に流れる電流に基づいて、スイッチング素子をオン／オフさせる。これにより、発光ダイオードアレイ１１に流れる電流を予め定められた値に近づける。
出力部１２５は、発光ダイオードアレイ１１に予め定められた電流を供給する定電流電源として機能する。
【００３２】
図２は、熱電変換部２０により変換された電気エネルギの再利用（回生）方法の一例を説明する図である。図２（ａ）は、電源回路１２の整流部１２３と波形整形部１２４との間（図２（ａ）のＡ点）に供給する方法を説明する図、図２（ｂ）は、図２（ａ）の電圧波形を説明する図である。
【００３３】
図２（ａ）に示すように、熱電変換部２０の出力端子を、整流部１２３と波形整形部１２４との間（図２（ａ）のＡ点）に、例えばダイオードＤを介して接続する。
図２（ｂ）に示すように、電源回路１２の整流部１２３は、例えばダイオードブリッジで構成されていて、交流電源４０の交流電圧を全波整流する。すると、図２（ｂ）のαで示すように、整流部１２３から出力される電圧波形は脈流（脈動）となる。しかし、熱電変換部２０からの出力端子を、ダイオードＤを介して接続することで、ダイオードＤが順バイアスされた状態、すなわち、整流部１２３から出力される電圧が熱電変換部２０の出力電圧より低い場合に、ダイオードＤを介して電流が流れる。よって、図２（ｂ）のβで示すように、整流部１２３から出力される電圧波形の電圧の低い部分が、熱電変換部２０からの流れ込む電流によって埋められる。これにより、整流部１２３からの出力における脈流（脈動）が軽減される。
【００３４】
このように、整流部１２３から出力される電流に、熱電変換部２０の出力を重畳することで、整流部１２３の後、例えば波形整形部１２４に設けられ、脈流（脈動）を平滑化する平滑コンデンサの容量を小さく設定できる。
そして、平滑コンデンサが大容量であることを要しなくなると、寿命（ライフタイム）の短い電解コンデンサを使用しなくてもよく、寿命の長いコンデンサが使用できる。電解コンデンサを用いないことで、電源回路１２の寿命（ライフタイム）が長くなる。例えば、電源回路１２の寿命が、発光ダイオードの寿命（約４万時間）以上になれば、発光ダイオードアレイ１１と電源回路１２とを一体化できる。
電解コンデンサよりライフタイムが長いコンデンサとは、電解コンデンサのように極性を有しないコンデンサであって、例えば、フィルムコンデンサ、セラミックコンデンサなどをいう。これらのコンデンサは、電解コンデンサに比べ劣化しにくく、寿命が長い。
また、熱電変換部２０の出力を電源回路１２に回生させているので、電力使用効率が向上（改善）する。
【００３５】
なお、平滑コンデンサとして電解コンデンサを使用する場合、電源回路１２の寿命は周囲温度１０５℃では約１０００時間である。よって、発光ダイオードの寿命（約４万時間）が尽きる前に、電源回路１２の寿命が到来するため、発光ダイオードアレイ１１と電源回路１２とを一体化しづらい。
【００３６】
図３は、熱電変換部２０により変換された電気エネルギの再利用（回生）方法の他の一例を説明する図である。ここでは、熱電変換部２０により変換された電気エネルギを電源回路１２の出力端子（Ｂ点）に供給する。
前述したように、発光ダイオードアレイ１１は、前述したように、例えば２８個の発光ダイオードを直列接続して構成されている。よって、電源回路１２の出力端子は、約８０Ｖの電圧を供給する。一方、熱電変換部２０は開放電圧８．６Ｖ〜８．７Ｖであるので、熱電変換部２０の出力端子を発光ダイオードアレイ１１の端子に直接供給できない。
そこで、図３に示すように、熱電変換部２０を複数の副熱電変換部２１から構成し、複数の副熱電変換部２１の出力を直列接続して、発光ダイオードアレイ１１に供給する。
このように熱電変換部２０の出力を電源回路１２に回生させているので、電力使用効率が向上（改善）する。
【００３７】
なお、熱電変換部２０を複数の副熱電変換部２１に分割することなく、熱電変換部２０の出力を、ＤＣ−ＤＣコンバータで発光ダイオードアレイ１１に供給する電圧に昇圧してもよい。
【００３８】
図４は、熱電変換部２０により変換された電気エネルギの再利用（回生）方法の他の一例を説明する図である。ここでは、熱電変換部２０からの電気エネルギを冷却部３０を駆動する電力として供給する。
前述したように、熱電変換部２０がゼーベック効果を利用するものである場合、両接点間の温度差が大きいほど、熱電変換部２０から取り出される電力が大きい。よって、一方の接点が発光ダイオードアレイ１１側に配置された場合、放熱ファンなどで構成された冷却部３０は、他方の接点を冷却するように構成される。
【００３９】
そして、熱電変換部２０から取り出される電力が大きいほど、両接点間の温度差が大きく、発光ダイオードアレイ１１などを含む機能部１０からの発熱が大きい。よって、熱電変換部２０から取り出せる電力が大きい場合に、冷却部３０の放熱ファンなどが動作することになる。すると、熱電変換部２０を介して、機能部１０も冷却されるため、発光ダイオードアレイ１１における発光ダイオード１１１の温度が下がり、発光効率が向上する。よって、電力使用効率が向上（改善）する。
【００４０】
上記で説明したように、熱電変換部２０の温度差が大きい場合に、熱電変換部２０からの電気エネルギ（電力）により冷却部３０が動作するようにすれば、機能部１０の発熱が大きく、電力使用効率が悪い場合に冷却部３０が動作して機能部１０を冷やすことになり、電力使用効率が改善する。
なお、冷却部３０に、熱電変換部２０と並行して、交流電源４０又は機能部１０の電源回路１２から電力を供給するようにしてもよい。
【００４１】
図５は、熱電変換部２０により変換された電気エネルギの再利用（回生）方法の他の一例を説明する図である。ここでは、熱電変換部２０により変換された電気エネルギを、発光ダイオードアレイ１１の発光量を調整するための信号（電波、光）の受信部５０に供給する。
発光ダイオードアレイ１１を備える機能部１０は、発光ダイオードアレイ１１に供給する電流を制御することで、発光ダイオードアレイ１１からの光量が調整できる。
街路灯や投光器などは高い位置に設けられることから、遠隔操作（リモートコントロール）により、光量が調整されるとよい。この場合、街路灯や投光器の電源回路１２に接続された受信部５０に、地上から電波又は光の信号を送信して、光量を調整してもよい。このとき、受信部５０は、地上からの信号を待ち受けるため、常にオン状態に保持されている。そこで、受信部５０に、熱電変換部２０からの電気エネルギを電力として供給してもよい。
【００４２】
このとき、発光ダイオードアレイ１１が点灯していない場合、熱電変換部２０から電力が得られない。よって、受信部５０は、二次電池を備え、発光ダイオードアレイ１１が点灯していない場合には、二次電池から電力が供給され、発光ダイオードアレイ１１が点灯している場合には、熱電変換部２０から電力が供給されるとともに二次電池を充電するように構成すればよい。
このようにしても、電力使用効率が向上（改善）する。
【００４３】
以上に説明した熱電変換部２０から得られる電気エネルギを再利用（回生）する方法を組み合わせて用いてもよい。
また、以上の他に、熱電変換部２０から得られる電気エネルギを他の用途に使用するように構成してもよい。この場合であっても、電力使用効率が向上（改善）する。
【００４４】
さらに、本実施の形態で示した数値は、一例であって、これらに限定されないことは明らかである。
【００４５】
本実施の形態では、発光ダイオード照明１００を例として説明したが、発光ダイオードアレイ１１を含む機能部１０が照明以外の他の機能を発揮するものとしてもよい。
その他、本発明の趣旨に反しない限りにおいて様々な変形を行っても構わない。
【符号の説明】
【００４６】
１０…機能部、１１…発光ダイオードアレイ、１２…電源回路、２０…熱電変換部、２１…副熱電変換部、３０…冷却部、４０…交流電源、５０…受信部、１００…発光ダイオード照明、１１１…発光ダイオード、１１２…基板、１２１…サージアブソーバ、１２２…ＥＭＣフィルタ、１２３…整流部、１２４…波形整形部、１２５…出力部
【図１】
0006451036.tif 000002
【図２】
0006451036.tif 000003
【図３】
0006451036.tif 000004
【図４】
0006451036.tif 000005
【図５】
0006451036.tif 000006